(57)【要約】【課題】被取付部材への取付け力を高く維持したまま、ピンの挿入力を低減する、ピンとグロメットとから成るクリップを提供することにある。【解決手段】クリップ１は、ピン２とグロメット３とから成り、グロメット脚部２１が複数の細長い脚片３０によって形成され、各脚片の先端部分３３が、先端から脚部の内側に向けて折返してフランジ１９に向けて延びるように折返す内側折返し部分３４を有し、内側折返し部分と脚片の先端部分の外側の部分の間には空間が形成され、各脚片は、フランジに隣接する根元部分から先端部分の中間位置までが一定の厚さで延びる細長い可撓性の板状に形成されている。【選択図】図１０
2009030707.tif 000002
【特許請求の範囲】
【請求項１】
ピンとグロメットとから成り、ピンの軸部をグロメットの脚部に挿入して、グロメットの脚部を拡径し、その拡径脚部とグロメットのフランジとによって、パネル等の被取付部材に取付けられるクリップであって、
グロメットの脚部が複数の長手方向のスリットによって複数の細長い脚片によって形成され、各脚片の先端部分が、先端から脚部の内側に向けて折返して前記フランジに向けて延びるように折返す内側折返し部分を有し、該内側折返し部分と前記脚片の先端部分の外側の部分の間には空間が形成され、各脚片は、前記フランジに隣接する根元部分から前記先端部分の中間位置までが一定の厚さで延びる細長い可撓性の板状に形成されている、
ことを特徴とするクリップ。
【請求項２】
請求項１に記載のクリップにおいて、前記脚片の先端部分の前記内側折返し部分の先端が、前記ピン軸部先端に形成された本止め係止溝に係止して、前記脚部を拡径した本止め状態に維持することを特徴とするクリップ。
【請求項３】
請求項２に記載のクリップにおいて、前記脚片の軸方向長さと前記軸部の軸方向長さとが前記本止め状態において前記軸部先端と前記脚部先端とがほぼ同じ位置になる長さに選定されている、ことを特徴とするクリップ。
【請求項４】
請求項１〜３のいずれか１項に記載のクリップにおいて、前記ピンと前記グロメットとは、ピン軸部がグロメット脚部に挿入されてグロメット脚部を拡径しない状態で連結される構成である、ことを特徴とするクリップ。
【請求項５】
請求項４に記載のクリップにおいて、前記ピン軸部を前記グロメット脚部に更に挿入することによって、前記脚片の先端部分の前記内側折返し部分の先端が、前記ピン軸部先端に形成された本止め係止溝に係止して、前記脚部を拡径した本止め状態に維持する構成である、ことを特徴とするクリップ。
【発明の詳細な説明】
【技術分野】
【０００１】
本発明は、ピンとグロメットとから成るクリップに関し、詳細には、ピンの軸部をグロメットに挿入して、グロメットの脚部を拡径し、その拡径脚部とグロメットのフランジとによって、パネル等の被取付部材に取付けられるクリップに関する。
【背景技術】
【０００２】
プラスチック製のピンとプラスチック製のグロメットとから成り、ピンの軸部をグロメットに挿入して、グロメットの脚部を拡径し、その拡径脚部とグロメットのフランジとによって、パネル等の被取付部材に取付けられる、プラスチック製のクリップは、例えば、実開昭５１−１３４１６６号公報（特許文献１）に記載されている。実開昭５１−１３５２６８号公報（特許文献２）には、ブラインドリベットの一例が記載され、このブラインドリベットは、ピンをグロメット形状のリベット本体に挿入することによって、リベット本体の脚部を拡径し、その拡径脚部とリベット本体のフランジとによって、パネル等の被取付部材に取付けられる。かかるクリップ又はブラインドリベットは、ピンを、グロメット又はリベット本体に挿入する簡単な操作で被取付部材に取付けられる。特許文献１のクリップ又は特許文献２のブラインドリベットでは、ピンと、グロメット又はリベット本体とが分離しているので、操作の前に一方の部品を他方の部品に組み付ける手間が必要であり、また、一方の部品を紛失するおそれがある。
【０００３】
【特許文献１】実開昭５１−１３４１６６号公報
【特許文献２】実開昭５１−１３５２６８号公報
【特許文献３】実開平５−５９０５４号公報（実用新案登録2606490号に対応）
【発明の開示】
【発明が解決しようとする課題】
【０００４】
特許文献３に記載されたクリップは、製品状態で、ぴんがグロメットに連結されて、グロメット脚部は非拡径状態に維持される。従って、操作の前に一方の部品を他方の部品に組み付ける手間が不要になり、一方の部品を紛失するおそれもない。
【０００５】
特許文献３に記載のクリップは、組み付けの手間と一方の部品の紛失を防止するが、ピンをグロメットへ挿入する力を低くする点において改良の余地がある。このクリップのグロメットの脚部の先端の剛性部分が長く、脚部のたわみ長さが短く、ピンの挿入において作業者へやや高い挿入力を必要とする。
【０００６】
本発明の目的は、被取付部材への取付け力を高く維持したまま、ピンの挿入力を低減する、ピンとグロメットとから成るクリップを提供することにある。
【課題を解決するための手段】
【０００７】
かかる目的を達成するため、本発明によれば、ピンとグロメットとから成り、ピンの軸部をグロメットの脚部に挿入して、グロメットの脚部を拡径し、その拡径脚部とグロメットのフランジとによって、パネル等の被取付部材に取付けられるクリップであって、グロメットの脚部が複数の長手方向のスリットによって複数の細長い脚片によって形成され、各脚片の先端部分が、先端から脚部の内側に向けて折返してフランジに向けて延びるように折返す内側折返し部分を有し、この内側折返し部分と脚片の先端部分の外側の部分の間には空間が形成され、各脚片は、フランジに隣接する根元部分から先端部分の中間位置までが一定の厚さで延びる細長い可撓性の板状に形成されている、ことを特徴とするクリップが提供される。
【０００８】
上記クリップによって、被取付部材への取付け力を高く維持したまま、ピンの挿入力を低減する、ピンとグロメットとから成るクリップが得られる。
【０００９】
上記クリップにおいて、脚片の先端部分の内側折返し部分の先端が、ピン軸部先端に形成された本止め係止溝に係止して、脚部を拡径した本止め状態に維持する構成にできる。その場合に、脚片の軸方向長さと軸部の軸方向長さとが前記本止め状態において軸部先端と脚部先端とがほぼ同じ位置になる長さに選定できる。これによって、クリップ全体の長さを短くしても、高い取付け力をいじしつつ、ピンの低い挿入力も維持できる。
【００１０】
ピンとグロメットとは、ピン軸部がグロメット脚部に挿入されてグロメット脚部を拡径しない状態で連結される構成にできる。また、ピン軸部をグロメット脚部に更に挿入することによって、脚片の先端部分の内側折返し部分の先端が、ピン軸部先端に形成された本止め係止溝に係止して、脚部を拡径した本止め状態に維持する構成できる。
【発明を実施するための最良の形態】
【００１１】
以下、図面を参照して、本発明の１実施形態に係るクリップについて説明する。クリップ１は、図１に図示のように、硬質プラスチック製のピン２と、ピン２が連結される、プラスチック製のグロメット３とから成る、２部品クリップである。図２〜図４は、ピン２を単独で示しており、図５〜図９は、グロメット３を単独で示している。図１０〜図１２は、ピン２とグロメット３とが種々の連結状態にあるクリップ１の断面図を示している。詳細には、図１０は、ピン２の軸部がグロメット脚部を拡径しない状態にピン部２がグロメット３に連結された、使用前のクリップ１の製品状態を示している。ピン２とグロメット３を連結して、２部品で成るクリップ１の管理や取付作業を容易にするとともに、ピン２又はグロメット３の一方の部品だけの紛失を防止する。図１１は、ピン２がグロメット３に押込まれてクリップ１が被取付部材へ本止めされた、本止め連結状態を示しており、クリップ１は、左側の板厚の厚い被取付部材５であっても、右側の板厚の薄い被取付部材６であっても、堅く取付けられることを示している。図１２は、ピン２をグロメット３から解除状態まで引き抜いて、被取付部材から抜き出したクリップ１を示しており、この解除状態においても、ピン２はグロメット３にグロメット脚部を拡径しない状態に連結されており、クリップ１の再使用を可能にし、ピン２又はグロメット３の一方の部品だけの紛失を防止する。
【００１２】
ピン２の構成を図２〜図４を参照して説明する。ピン２は、プラスチック製の一体成形品であり、大径の円板形状の頭部７と、頭部７から垂直に延びる軸部９とから成る。頭部７は、作業者の指等で押込めるように上面が平坦に形成された円板形に形成されるが、押し込み作業に適していれば、他の任意の形状でよい。軸部９は、頭部７から棒状に垂下して延び、グロメット３の脚部２１に全部が挿入された本止め連結において、脚部２１の先端側部分を拡径する。軸部９は、図２のＡ−Ａ線断面を示す図４に示すように、頭部７に隣接する根元部分１０において、十分な剛性を維持しつつ軽量化と材料の節約のため、十字形状の断面の棒状に形成されている。根元部分１０は、図示の例に限らず、丸棒等の形状であってもよい。軸部９には、根元部分１０から先端までの間に、３つの溝１１、１３及び１４が形成されており、先端部分１５は、グロメット３の脚部への挿入が容易なように、先細に形成されている。３つの溝のうち、溝１１は、ピン２がグロメット３に本止め連結状態にあるとき、グロメット３の内側に形成された係止爪２７が退避できる空間を形成する係止爪受入溝で、本止め連結状態が長い（例えば、数ヶ月又は数年）場合において係止爪２７がクリープ変形するのを防止する。この係止爪受入溝１１は、必須ではなく、また、係止爪２７との係止は必要ないので、係止肩のない斜面を持つ溝として形成されている。次の溝１３は、本止め連結状態にあるピン２がグロメット３から解除状態にまで引き抜かれたとき、グロメット３の係止爪２７が係止してピン２がグロメット３から離脱するのを防止する、解除時係止溝である。この解除時係止溝１３の下縁部は、グロメット３の係止爪２７と係止する係止肩１７が形成されている。解除時係止溝１３と先端部分１５との間の溝１４は、グロメット３の脚部２１の各脚片３０の内側折返し部分３４の先端が係止してクリップ１を被取付部材に本止めした状態に維持する本止め係止溝である。この本止め係止溝１４は、また、ピン２の軸部９がグロメット３の脚部２１に挿入されたときグロメット３の係止爪２７が最初に係止する係止溝で、ピン２とグロメット３とをクリップ１の製品連結状態に連結する係止溝としても機能する。本止め係止溝１４の下縁部は、第２の係止肩１８として形成されて、本止め連結状態を維持し、また、使用前の製品連結状態に連結する場合、ピン２の軸部９をグロメット３の脚部に挿入してグロメット３の係止爪２７に係止させて、ピン２をグロメット３に使用前の製品連結状態に連結する。
【００１３】
グロメット３の構成を、図５〜図９を参照して説明する。グロメット３は、硬質プラスチックの一体成形品であり、上部のフランジ１９と、フランジ１９から垂下する脚部２１とから成る。フランジ１９は、図１１に示すように、パネル等の被取付部材５又は６に接面するように、図５の平面視においてほぼ円形に形成されており、上面の周縁部には一対のリブ２３が形成されて、ピン２が押込まれたときに頭部７を受入れる凹部２２が形成されるとともに、フランジ１９の全体強度を高く維持する。フランジ１９の下面には、被取付部材に安定して接面して取付け強度を高く維持するように、周縁部に沿ったリング形状の座２５が形成されている。フランジ１９の中央には穴２６が形成されている。フランジ１９の穴２６は、脚部２１の中央の長手方向に延びる穴２６に連続しており、ピン２の軸部９がフランジ１９を通って脚部２１に挿入されるのを許す。フランジ１９及び脚部２１の穴２６には、一対の係止爪２７が短く延びて形成されている。係止爪２７は、図９に最もよく示されるように、フランジ１９に隣接する脚部２１の部分又は脚部２１の根元のフランジ１９の部分から、穴２６の中心に向けて且つ下方に向けて短く延びるように形成されて、先端側の部分は、半径方向外側に撓むことができる可撓性を持ち、その撓め力が無くなると元の姿勢に復帰するばね弾性を有する。係止爪２７は、ピン２の軸部９の本止め係止溝１４に係止して、ピン２とグロメット３をクリップ１の製品連結状態に連結する。また、係止爪２７は、解除時係止溝１３に係止して、被取付部材から引き抜いた後にも、ピン２がグロメット３から離脱するのを防止する。なお、ピン２の軸部９がグロメット３の脚部２１に押し込まれた本止め連結状態にあるとき。係止爪２７は、ピン２の軸部９の係止爪受入溝１３に収容されて、本止め連結状態が長く（例えば、数ヶ月又は数年）場合においても係止爪がクリープ変形するのを防止する。
【００１４】
脚部２１は、先端（図６、図８及び図９の下端）からフランジ１９に向けて長手方向に延びる、細長い複数のスリット２９によって分割された複数の脚片３０から成る。図示の例では、スリット２９は４個形成され、従って、脚片３０も４本形成されている。これらの数は、限定的なものでなく、例えば、３個〜６個等、任意の個数を選択してよい。各脚片３０は、図９に図示のように、フランジ１９に隣接する根元部分３１から先端部分３３の手前まで一定の厚さで延びる細長い板状に形成されている。先端部分３３は、先端まで延びて形成され、その先端から内側に向けて折返してフランジ１９に向けて延びるように折返す、内側折返し部分３４を有する。先端部分３３において、先端に延びる外側部分と内側折返し部分３４との間には空間３５が形成されている。これによって、根元部分３１から先端部分３３の中間位置までの脚片部分が、一定の厚さで延びる細長い板状に形成されて、この細長い板状部分に可撓性が与えられて、長い可撓性部分を得ることができる。これに対し、特許文献３に記載の従来の脚部の脚片の先端部分は肉厚に形成されていて、空間３５や内側折返し部分３４は一切見られない。従って、特許文献３等の従来の脚片の場合、脚片が半径方向外方に張り出す場合に撓むことができる部分は、先端の肉厚部分が除かれる。脚部２１の各脚片３０は、根元部分３１から先端部分３３に至るまでは勿論のこと、先端部分３３が内側折返し部分３４に隣接する部分までが半径方向外方に張り出すように撓むことができ、脚片３０の可撓性部分が従来のものより長い。従って。ピン軸部０９が挿入されるときの、挿入力は従来のものより小さくてすむ。
【００１５】
更に、内側折返し部分３４は、ピン２がグロメット３に押込まれた本止め連結状態において、ピン２の軸部９の本止め係止溝１４に係止して、本止め連結状態を維持する。内側折返し部分３４は、脚片３０の先端からフランジ１９に向けて入り込んだ位置にあり、その位置で本止め係止溝１４に係止する。従って、ピン２の軸部９の先端が突出せずに本止め連結状態に連結でき、ピン２の軸部９の長さをグロメット３の脚部２１の長さとほぼ同じに形成することができる。
【００１６】
上記のように、脚片３０の可撓性の有効な長さは、先端部分３３の中間に至るまで長くでき、内側折返し部分３４がピン軸部９に係止する位置が先端より軸方向の内側にできるので、グロメット３の脚部２１の全体長さ（すなわち、グロメット３の全長）、ひいてはクリップ１の全長を短くしても、従来のクリップと同じかそれ以上の連結力を得ることができる。また。ピン軸部９の挿入力は、脚片３０の撓み変形が容易なために、従来の挿入力より小さくてよい。
【００１７】
上記構成の、ピン２とグロメット３とから成るクリップ１種々の連結状態について、図１０〜図１２を参照して説明する。図１０は、クリップ１の使用前の製品状態を示している。図１０において、ピン２の軸部９がグロメット３のフランジ１９及び脚部２１の穴２６の途中まで挿入されて、グロメット３の係止爪２７がピン軸部９の本止め係止溝１４に係止した状態にある。ピン２の軸部９はグロメット３の脚部２１を拡径しない状態でピン部２がグロメット３に連結されて、使用前のクリップ１の製品連結状態となる。図１は、同じ製品状態にあるクリップ１を示している。クリップ１は、製品状態において、ピン２とグロメット３の、２部品で成るクリップ１の管理及び取付作業を容易にし、ピン２又はグロメット３の一方の部品だけの紛失を防止する。
【００１８】
クリップ１は、例えば、パネル（複数のパネルでもよい）等の被取付部材に取付けられる。取付け作業において、被取付部材の取付穴にグロメット３の脚部２１が挿入され、フランジ１９の下面の座２５を被取付部材に接面させた状態でピン２の頭部７が指等によって押されて図１０の状態から図１１の状態にピン２の軸部９がグロメット３の脚部２１に十分に押込まれる。この押し込みによって、ピン軸部９の先端が、グロメット脚部２１の先端に至り、脚部２１の各脚片３０の先端部分３３の内側折返し部分３４を、本止め係止溝１４に受け入れて内側折返し部分３４を半径方向外側に押出す。内側折返し部分３４が半径方向外側に押出されることによって、複数の可撓性の脚片３０で成る脚部２１が拡径して、その拡径部分とフランジ７との間に被取付部材を挟持して、クリップ１が被取付部材に取付けられる。脚片３０は、根元部分３１から先端部分３３の中間位置の部分までが一定厚さの可撓性を有するので、図１１に示すように、左側の厚い被取付部材５であっても、右側の薄い被取付部材６であっても、高い強度で取付けられる。すなわち、クリップ１は、被取付部材の厚さ範囲が広い。また、脚片３０は、根元部分３１から先端部分３３の中間位置の部分までを一定厚さにできるので、ピン軸部９の挿入力は低くなり、クリップ１の取付け作業を楽にでき、厚い被取付部材の場合にも挿入力を低くできる。また、脚片の可撓性部分が長いので、脚片３０の厚さを従来のものより厚くでき、薄い被取付部材であっても、強固に取付けられる。例えば、脚片３０の厚さを、特許文献１に記載の脚片の可撓性部分の厚さの１．６倍にすることができた。更に、図１１に図示のように、内側折返し部分３４は、脚片３０の先端からフランジ１９に向けて入り込んだ位置でピン軸部９の本止め係止溝１４に係止して本止め連結状態を維持する。ピン軸部９の先端が突出せずに本止め連結状態に連結でき、ピン２の軸部９の長さをグロメット３の脚部２１の長さとほぼ同じに形成することができる。このため、クリップ１の全長を短くできる。
【００１９】
ピン２の軸部９が押し込まれるとき、グロメット３の係止爪２７は、軸部９の本止め係止溝１４及び解除時係止溝１３を乗り越えて、係止爪受入溝１１に至る。本止め連結状態では、係止爪２７は係止爪受入溝１１に収容され、本止め連結状態が長い場合（例えば、数ヶ月又は数年）おいて係止爪がクリープ変形するのを防止する。
【００２０】
図１２は、ピン２をグロメット３から解除状態まで引き抜いて、被取付部材から抜き出したクリップ１を示している。解除状態においても、ピン２はグロメット３にグロメット脚部を拡径しない状態に連結されており、クリップ１の再使用を可能にし、ピン２又はグロメット３の一方の部品だけの紛失を防止する。本止め連結状態にあるピン２がグロメット３から解除状態にまで引き抜かれたとき、グロメット３の係止爪２７が、ピン軸部９の解除時係止溝１３の係止肩１７に係止して、ピン２がグロメット３から離脱するのを防止する。
【図面の簡単な説明】
【００２１】
【図１】本発明の１実施形態に係るクリップの正面図である。
【図２】本発明の１実施形態に係るクリップのピンの正面図である。
【図３】図２のピンの底面図である。
【図４】図２のピンのＡ−Ａ線断面図である。
【図５】本発明の１実施形態に係るクリップのグロメットの平面図である。
【図６】図５のグロメットの正面図である。
【図７】図５のグロメットの底面図である。
【図８】図５のグロメットの側面図である。
【図９】図５のグロメットのＢ−Ｂ線断面図である。
【図１０】図１のクリップの縦断面図である。
【図１１】図１０のクリップが本止め連結状態にある図である。
【図１２】図１０のクリップが解除状態にある図である。
【符号の説明】
【００２２】
１  クリップ
２  ピン
３  グロメット
５、６  被取付部材
７  ピンの頭部
９  ピンの軸部
１１  係止爪受入溝
１３  解除時係止溝
１４  本止め係止溝
１５  軸部の先端部分
１７、１８  係止肩
１９  フランジ
２１  脚部
２６  穴
２７  脚部
２９  スリット
３０  脚片
３１  脚片の根元部分
３３  脚片の先端部分
３４  脚片の先端部分の内側折返し部分
３５  空間
【図１】
2009030707.tif 000003
【図２】
2009030707.tif 000004
【図３】
2009030707.tif 000005
【図４】
2009030707.tif 000006
【図５】
2009030707.tif 000007
【図６】
2009030707.tif 000008
【図７】
2009030707.tif 000009
【図８】
2009030707.tif 000010
【図９】
2009030707.tif 000011
【図１０】
2009030707.tif 000012
【図１１】
2009030707.tif 000013
【図１２】
2009030707.tif 000014